(57)【特許請求の範囲】
【請求項１】
格子ユニットと、面材ユニットと、左、右の縦枠とを備えた間仕切り用格子構造であって、
上記格子ユニットは、上側横桟と、下側横桟との間に、複数の縦格子材を立設配置した構造体をなす一方、上記面材ユニットは、上側横桟と、下側横桟との間に、面材を立設した構造体をなしており、
上記格子ユニット、面材ユニットは、上下に整列され、上記左、右の縦枠で挟まれた状態に固定されて組み立てられる構造にしており、
上記面材ユニットの取付け空間を残して、上記格子ユニットのみを、上記左、右の縦枠に固着させてから、残された取付け空間を埋めるようにして、上記面材ユニットを嵌入れて、該嵌入れた面材ユニットの上側横桟、下側横桟を、該面材ユニットに隣接する格子ユニットの下側横桟、上側横桟に結合させる構造にしていることを特徴とする間仕切り用格子構造。
【請求項２】
格子ユニットと、面材ユニットと、左、右の縦枠とを備えた間仕切り用格子構造であって、
上記格子ユニットは、上側横桟と、下側横桟との間に、複数の縦格子材を立設配置した構造体をなす一方、上記面材ユニットは、上側横桟と、下側横桟との間に、面材を立設した構造体をなしており、
上記格子ユニット、面材ユニットは、上下に整列され、上記左、右の縦枠で挟まれた状態に固定されて組み立てられる構造にしており、
上記面材ユニットの取付け空間を残して、上記格子ユニットの上側横桟、下側横桟の一方端を上記左、右の縦枠の一方に固着させてから、残された取付け空間を埋めるようにして、上記面材ユニットの上側横桟、下側横桟に設けた嵌合部を、該面材ユニットの上下に隣接する格子ユニットの対応した下側横桟、上側横桟に設けた嵌合部にスライド嵌入して結合させ、上記格子ユニットの上側横桟、下側横桟の他方端を上記左、右の縦枠の他方に固着させる構造にしていることを特徴とする間仕切り用格子構造。
【請求項３】
請求項１または２において、
上記格子ユニット、上記面材ユニットのうちで、最上段に取付けられるユニットの上側横桟、最下段に取付けられるユニットの下側横桟の少なくとも一方は、その前方に空所を設けた断面逆Ｌ字型に形成されていることを特徴とする間仕切り用格子構造。
【発明の詳細な説明】
【技術分野】
【０００１】
本発明は、例えば、パーティーションなどの建具として用いられる間仕切り用格子構造の改良に関する。
【背景技術】
【０００２】
従来、パーティーションなどの間仕切り構造は、高度な技術を有する熟練した指物大工が、現地で天然木材などからなる部材を組立てて製作していた。
【０００３】
このような間仕切り構造、は、一般に、材料の吟味や大工工事に高度な技術と熟練を必要とすること、大形品となり搬送など取扱いにくいことなどの短所があり、大量生産に不向きであった。
【０００４】
また、建具を製作出来る熟練工が少なくなり、製品が高価であるという問題があった。
【０００５】
そこで、扱いやすい大きさの基本ユニットを工場で製作し、現地では、この基本ユニットを連続結合して大形の間仕切り構造として構成するようにしたものが種々開発されている。
【０００６】
例えば、下記の実用新案文献１には、プラスチック製の格子状基本ユニットを接続棒にて連続した形状に結合することにより、大形で、大量生産が可能な組立格子ユニット製建具が開示され提案されている。
【特許文献１】実用新案登録番号第３０４２００５号公報
【発明の開示】
【発明が解決しようとする課題】
【０００７】
しかしながら、上述の文献１に開示された間仕切り用格子構造では、何本もの接続棒を用意しなければならないなど主要部材や部品の点数が多くなるために、これらの管理がわずらわしいという問題があった。また、格子状基本ユニットと、これを連続した形状に結合するための接続棒との両方に溝部や突起部などの多数の加工を施さなければならず、それらの加工コストを考慮すると全体として必ずしも安価に製作できないという問題があった。
【０００８】
本発明は上記事情に鑑みてなされたものであり、現場での施工が容易であるだけでなく、現地における製作において、管理しなければならない主要部材や部品の点数を少なくして管理を簡素化することができる間仕切り用格子構造を提供することを目的としている。また、加工箇所を極力少なくして、安価に製作することができる間仕切り用格子構造を提供することを目的としている。
【課題を解決するための手段】
【０００９】
上記目的を解決するために、請求項１に記載の間仕切り用格子構造は、格子ユニットと、面材ユニットと、左、右の縦枠とを備えて構成される間仕切り用格子構造であって、上記格子ユニットは、上側横桟と、下側横桟との間に、複数の縦格子材を立設配置した構造体をなす一方、上記面材ユニットは、上側横桟と、下側横桟との間に、面材を立設した構造体をなしており、上記格子ユニット、面材ユニットは、上下に整列され、上記左、右の縦枠で挟まれた状態に固定されて組み立てられる構造にしており、上記面材ユニットの取付け空間を残して、上記格子ユニットのみを、上記左、右の縦枠に固着させてから、残された取付け空間を埋めるようにして、上記面材ユニットを嵌入れて、該嵌入れた面材ユニットの上側横桟、下側横桟を、該面材ユニットに隣接する格子ユニットの下側横桟、上側横桟に結合させる構造にしていることを特徴とする。
【００１１】
また、請求項２に記載の間仕切り用格子構造は、格子ユニットと、面材ユニットと、左、右の縦枠とを備えて構成される間仕切り用格子構造であって、上記格子ユニットは、上側横桟と、下側横桟との間に、複数の縦格子材を立設配置した構造体をなす一方、上記面材ユニットは、上側横桟と、下側横桟との間に、面材を立設した構造体をなしており、上記格子ユニット、面材ユニットは、上下に整列され、上記左、右の縦枠で挟まれた状態に固定されて組み立てられる構造にしており、上記面材ユニットの取付け空間を残して、上記格子ユニットの上側横桟、下側横桟の一方端を上記左、右の縦枠の一方に固着させてから、残された取付け空間を埋めるようにして、上記面材ユニットの上側横桟、下側横桟に設けた嵌合部を、該面材ユニットの上下に隣接する格子ユニットの対応した下側横桟、上側横桟に設けた嵌合部にスライド嵌入して結合させ、上記格子ユニットの上側横桟、下側横桟の他方端を上記左、右の縦枠の他方に固着させる構造にしている。
【００１２】
そして、請求項３に記載の間仕切り用格子構造においては、上記格子ユニット、上記面材ユニットのうちで、最上段に取付けられるユニットの上側横桟、最下段に取付けられるユニットの下側横桟の少なくとも一方は、その前方に空所を設けた断面逆Ｌ字型に形成されている。
【発明の効果】
【００１３】
請求項１、２に記載の間仕切り用格子構造によれば、格子ユニットと面材ユニットとが予め、ユニットとして構成され、これらを組み立てできるので、現場での施工が容易である。
【００１４】
また、格子ユニット、面材ユニットが、上下に整列され、左、右の縦枠で挟まれた状態に固定されて組み立てられる構造にしているので、現地における製作において、管理しなければならない主要部材や部品の点数を少なくでき、これらの管理を簡素化することができる。また、加工箇所が少ないので、安価に製作することができる。
【００１５】
請求項１に記載の間仕切り用格子構造によれば、面材ユニットの取付け空間を残して、格子ユニットのみを、左、右の縦枠に固着させてから、残された取付け空間に面材ユニットを嵌入れて、嵌入れた面材ユニットの上側横桟、下側横桟を、面材ユニットに隣接する格子ユニットの下側横桟、上側横桟に結合させるので、より現場での施工が容易である。また、主要部材や部品の管理をより簡素化し、安価に製作することができる。
【００１６】
特に、面材ユニットは、左、右の縦枠に固定させる必要がなく、格子ユニットに固定するだけでよいので、面材ユニットの取替え作業が容易に行える。
【００１７】
また、面材ユニットは、使用目的に応じて、模様や構造（透光性あるもの、非透光性のもの）を変えた面材を用いたものと取替えて使用する際に、作業が容易である。
【００１８】
請求項２に記載の間仕切り用格子構造によれば、面材ユニットの取付け空間を埋めるようにして、面材ユニットの上側横桟、下側横桟に設けた嵌合部を、該面材ユニットの上下に隣接する格子ユニットの対応した下側横桟、上側横桟に設けた嵌合部にスライド嵌入して結合させ、格子ユニットの上側横桟、下側横桟の他方端を左、右の縦枠の他方に固着させる構造にしているので、より現場での施工が容易である。また、主要部材や部品の管理をより簡素化し、安価に製作することができる。
【００１９】
特に、この場合も面材ユニットは、左、右の縦枠に固定させる必要がなく、格子ユニットに固定するだけでよいので、面材ユニットの取替え作業が容易に行える。
【００２０】
また、この場合も面材ユニットは、使用目的に応じて、模様や構造（透光性あるもの、非透光性のもの）を変えた面材を用いたものと取替えて使用する際に、作業が容易である。
【００２１】
請求項３に記載の間仕切り用格子構造によれば、最上段の格子ユニット、最下段の格子ユニットの空所に、天井面、床面に設けた横桟などを収容して、固定し隠蔽できるので、強固に取り付けができ、見栄えもよい。空所は必要に応じて、格子ユニットとは別体のカバー材で隠蔽することができる。
【発明を実施するための最良の形態】
【００２２】
以下、添付図面を参照しながら本発明の好ましい実施の一形態について説明する。図１は、本発明の第１の実施形態の間仕切り用格子構造１の構成を示す分解斜視図であり、図２は、間仕切り用格子構造１の構成を示す図１のII−II縦断面図である。また、図３は、ダボ４とダボ孔５の構成を示す分解斜視図であり、最上段の格子ユニット６の上側横桟６ａと右の縦枠３との連結要領を示している。
【００２３】
図１に示すように、間仕切り用格子構造１は、格子ユニット６、７、８と、面材ユニット２と、左、右の縦枠３とを備えて構成されている。
【００２４】
ここで、格子ユニット６、７、８は、それぞれ上側横桟６ａ、７ａ、８ａと、下側横桟６ｂ、７ｂ、８ｂとの間に、複数の縦格子材６ｃ、７ｃ、８ｃを立設配置して一体とした構造体をなしている。
【００２５】
また、上記面材ユニット２は、上側横桟２ａと、下側横桟２ｂとの間に、面材２ｃを立設した構造体をなしている。
【００２６】
これら格子ユニット６、７、８、面材ユニット２は、上下に整列され、左、右の縦枠３で挟まれた状態に固定されて組み立てられる構造にしているが、特に、面材ユニット２の取付け空間を残して、格子ユニット６、７、８のみを、左、右の縦枠３に固着させてから、残された取付け空間に面材ユニット２を嵌入れて、嵌入れた面材ユニット２の上側横桟２ａ、下側横桟２ｂを、面材ユニット２に隣接する格子ユニット６、７、８の下側横桟６ｂ、７ｂ、上側横桟７ａ、８ａに結合させる構造にしている。
【００２７】
そして、格子ユニット６、７、８は、左、右の縦枠３に図３に示すように、ダボ４とダボ孔５を用いて、固定して組み立られる。
【００２８】
ここで、図３を参照して、各格子ユニット６、７、８の連結固定の例として、最上段の格子ユニット６の上側横桟６ａと右の縦枠３との連結の場合を説明する。ダボ４は、図３に示すように、一端が、右の縦枠３に設けられた孔５ａに圧入され、他端が最上段の格子ユニット６の上側横桟６ａに設けられた孔５ｂに圧入される。そしてその後、孔５ｃに挿入され、ドライバで右回りに回転される係止具４ａで、ダボ４の頭部４ｂが係止されることにより、最上段の格子ユニット６の上側横桟６ａと右の縦枠３とが固着される。
【００２９】
その他の、格子ユニット６、７、８の上側横桟６ａ、７ａ、８ａおよび下側横桟６ｂ、７ｂ、８ｂと、左、右の縦枠３とのダボ４による連結要領は同様である。
【００３０】
また、この間仕切り用格子構造１は、図１、図２に示すように最上段の格子ユニット６の上側横桟６ａと、最下段の格子ユニット８の下側横桟８ｂとは、その少なくとも一方の前方に空所９を設けた断面逆Ｌ字型に構成されている。
【００３１】
この空所９は、格子ユニット６、８とは別体に設けられ、最上段の格子ユニット６の上側横桟６ａと最下段の格子ユニット８の下側横桟８ｂにそれぞれねじ９ｂで固定されるカバー材９ａで隠蔽されている。
【００３２】
このように、最上段の格子ユニット６、最下段の格子ユニット８の空所９に、天井面に設けた横桟１６、床面に設けた横桟１７などを収容して、固定し隠蔽できるので、強固に取り付けができ、見栄えもよい。このように空所９は必要に応じて、格子ユニット６、８とは別体のカバー材９ａで隠蔽することができる。
【００３３】
次に、図４から図６を参照して、第１の実施形態の間仕切り用格子構造１の施工方法について説明する。図４から図６は、現地での施工要領を示す斜視図であり、図４は、最上段の格子ユニット６と中間の格子ユニット７と最下段の格子ユニット８とが左、右の縦枠３に固定された状態を示している。図５は、面材ユニット２を取り付ける要領を示す斜視図である。また、図６は、第１の実施形態における組み立て完成状態を示す斜視図である。
【００３４】
第１の実施形態の間仕切り用格子構造１においては、まず、図４に示すように、最上段の格子ユニット６と中間の格子ユニット７と最下段の格子ユニット８とが左、右の縦枠３に既に述べたように、ダボ４を用いて固定される。
【００３５】
次に、図５に示すように、面材ユニット２がそれぞれ、最上段の格子ユニット６と中間の格子ユニット７との間、および中間の格子ユニット７と最下段の格子ユニット８との間に挿入される。
【００３６】
そして、図６に示すように、最上段の格子ユニット６と中間の格子ユニット７との間、および中間の格子ユニット７と最下段の格子ユニット８との間に挿入された面材ユニット２がねじ１０を螺入させて固定され、組み立てが完了する。
【００３７】
以上説明したように、本発明の実施の形態に係る間仕切り用格子構造１によれば、格子ユニット６、７、８と面材ユニット２とが予め、ユニットとして構成され、これらを左、右の縦枠３に固定させて組み立てできるので、現場での施工が容易である。
【００３８】
また、格子ユニット６、７、８、面材ユニット２が、上下に整列され、左、右の縦枠３で挟まれた状態に固定されて組み立てられる構造にしているので、現地における製作において、管理しなければならない主要部材や部品の点数を少なくでき、これらの管理を簡素化することができる。また、加工箇所が少ないので、安価に製作することができる。
【００３９】
また、面材ユニット２の取付け空間を残して、格子ユニット６、７、８のみを、左、右の縦枠３に固着させてから、残された取付け空間に面材ユニット２を嵌入れて、嵌入れた面材ユニット２の上側横桟２ａ、下側横桟２ｂを、面材ユニット２に隣接する格子ユニット６、７、８の下側横桟６ｂ、７ｂ、上側横桟７ａ、８ａに結合させるので、より現場での施工が容易である。また、主要部材や部品の管理をより簡素化し、安価に製作することができる。
【００４０】
特に、面材ユニット２は、左、右の縦枠３に固定させる必要がなく、格子ユニット６、７、８に固定するだけでよいので、面材ユニット２の取替え作業が容易に行える。
【００４１】
また、格子ユニット６、７、８を左、右の縦枠３に固定し組み立てた後でも、左、右の縦枠３を外すことなく、面材ユニット２の嵌入れ空間を形成するようにして格子ユニット６、７、８を左、右の縦枠３に固定してから、それらの空間を埋め合わせるように面材ユニット２を嵌め入れて、面材ユニット２の上側横桟２ａ、下側横桟２ｂを、上下に隣接している格子ユニット６、７、８の対応した下側横桟、上側横桟に固着して取り付けができる。
また、面材ユニット２は、使用目的に応じて、模様や構造（透光性あるもの、非透光性のもの）を変えた面材を用いたものと取替えて使用する際に、作業が容易である。
【００４２】
さらに、最上段の格子ユニット６、最下段の格子ユニット８の空所９に、天井面に設けた横桟１６、床面に設けた横桟１７などを収容して、固定し隠蔽できるので、強固に取り付けができ、見栄えもよい。空所９は必要に応じて、格子ユニット６、７、８とは別体のカバー材９ａで隠蔽することができる。
【００４３】
また、格子ユニット６、７、８は、ダボ４とダボ孔５を用いて、左、右の縦枠３に固着されるので、従来のビス止め構造と比べた場合にも堅固に左、右の縦枠３に連結固定することができる。
【００４４】
次に図７〜図１２を参照して、本発明の第２の実施形態に係る間仕切り用格子構造１１について説明する。図７は、本発明の第２の実施形態の間仕切り用格子構造１１の構成を示す分解斜視図であり、図８は、間仕切り用格子構造１１の構成を示す図７のVIII−VIII縦断面図である。また、図９〜図１２は、現地での施工要領を示す斜視図であり、図９は、最上段の格子ユニット６と中間の格子ユニット７と最下段の格子ユニット８とが左の縦枠３に固定された状態を、図１０は、面材ユニット２を取り付ける要領を示す斜視図である。図１１は、最上段の格子ユニット６と中間の格子ユニット７と最下段の格子ユニット８とに右の縦枠３を固定する状態を示している。図１２は、間仕切り用格子構造の第２の実施形態における組み立て完成状態を示す斜視図である。
【００４５】
なお以下の説明では、本発明の第１の実施の形態に係る間仕切り用格子構造１と同様の部材には同一の符号を付し、重複する説明を省略するものとする。
【００４６】
第２の実施形態に係る間仕切り用格子構造１１においては、複数の格子ユニット６、７、８と、面材ユニット２と、左、右の縦枠３とを備えて構成される点は第１の実施形態に係る間仕切り用格子構造１と同様である。
【００４７】
間仕切り用格子構造１１においては、図１０にも示すように、面材ユニット２の取付け空間を残して、格子ユニット６、７、８の上側横桟６ａ、７ａ、８ａ、下側横桟６ｂ、７ｂ、８ｂの一方端を左、右の縦枠３の一方に固着させてから、残された取付け空間を埋めるようにして、面材ユニット２の上側横桟２ａ、下側横桟２ｂに設けた嵌合部１４を、それぞれ格子ユニット６、７、８の対応した下側横桟６ｂ、７ｂ、上側横桟７ａ、８ａに設けた嵌合部１３にスライド嵌入して結合させ、格子ユニット６、７、８の上側横桟６ａ、７ａ、８ａ、下側横桟６ｂ、７ｂ、８ｂの他方端を左、右の縦枠３の他方に固着させる構造にしている。
【００４８】
なお、第２の実施形態に係る間仕切り用格子構造１１においては、左、右の縦枠３の内側には、面材２ｃの両側端を挿入するための縦溝１５が設けられており、面材２ｃの両側端はこの縦溝１５に挿入される分だけ上側横桟６ａ、７ａ、８ａ、下側横桟６ｂ、７ｂ、８ｂよりも突出している。この場合は、面材２ｃと左右の縦枠３との間に隙間を生じることなく組み立てできる。
そして、第２の実施形態の間仕切り用格子構造１１においては、まず、図９に示すように、最上段の格子ユニット６と中間の格子ユニット７と最下段の格子ユニット８とが左の縦枠３に既に述べたように、ダボ４により固定される。
【００４９】
次に、図１０、図１１に示すように、面材ユニット２を最上段の格子ユニット６と中間の格子ユニット７の間の側端開口、および中間の格子ユニット７と最下段の格子ユニット８の間の側端開口から挿入するようしてスライド嵌合させて上下に整列された状態に結合させる。
【００５０】
そして、図１１、図１２に示すように、右の縦枠３を、最上段の格子ユニット６と中間の格子ユニット７と最下段の格子ユニット８とにダボ４を用いて固定し、組み立てが完了する。
【００５１】
このように、第２の実施形態に係る間仕切り用格子構造１１によれば、格子ユニット６、７、８、面材ユニット２の嵌合部１３、１４同士を嵌合わせることで上下に整列した状態に結合し、左、右の縦枠３で挟まれた状態に固定されて組み立てられる構造にしているので、より現場での施工が容易である。また、主要部材や部品の管理をより簡素化し、安価に製作することができる。
【００５２】
特に、この場合も面材ユニット２は、左、右の縦枠３に固定させる必要がなく、格子ユニット６、７、８に固定するだけでよいので、面材ユニット２の取替え作業が容易に行える。
【００５３】
また、面材ユニット２は、使用目的に応じて、模様や構造（透光性あるもの、非透光性のもの）を変えた面材を用いたものと取替えて使用する際に、作業が容易である。
【００５４】
また、第２の実施形態に係る間仕切り用格子構造１１によれば、面材ユニット２の取付け空間を埋めるようにして、面材ユニット２の上側横桟２ａ、下側横桟２ｂに設けた嵌合部１４を、面材ユニット２の上下に隣接する格子ユニット６、７、８の対応した下側横桟６ｂ、７ｂ、上側横桟７ａ、８ａに設けた嵌合部１３にスライド嵌入して結合させ、格子ユニット６、７、８の上側横桟６ａ、７ａ、８ａ、下側横桟６ｂ、７ｂ、８ｂの他方端を左、右の縦枠３の他方に固着させる構造にしているので、より現場での施工が容易である。また、主要部材や部品の管理をより簡素化し、安価に製作することができる。
【００５５】
上述した実施の形態は本発明の好ましい具体例を例示したものに過ぎず、本発明は上述した実施の形態に限定されない。
【００５６】
例えば、本発明の格子ユニット６、７、８は必ずしも図のように、最上段の格子ユニット６、中間の格子ユニット７、最下段の格子ユニット８の３段に限定されない。格子ユニットを複数段設けたものであってもよいなど、種々の設計変更が可能である。
【００５７】
また、格子ユニット６、７、８、面材ユニット２の積み上げ態様は、使用目的に応じて変化させてもよい。例えば、1段づつ交互に積み上げたり、必要な場所に面材ユニット２を介在させてよく、面材ユニット２は、目隠し板として使用できる。また、格子ユニット６、７、８、面材ユニット２の結合態様は、格子ユニットが最上段、最下段に位置する場合には限定されず、面材ユニット２がその位置にあってもよい。
【００５８】
また、間仕切り用格子構造１においては、最上段の格子ユニット６と中間の格子ユニット７との間、および中間の格子ユニット７と最下段の格子ユニット８との間に挿入された中間の格子ユニット７が必ずしも図６に示すようにねじ１０で固定されるものに限定されない。その他の固定具が採用可能である。
【００５９】
また、格子ユニット６、７、８も、ダボ４とダボ孔５を用いて、左、右の枠に固着されるものに限定されず、その他の種々の公知の固定具が適宜採用可能なことはいうまでもない。
【００６０】
また、第２の実施形態に係る間仕切り用格子構造１１においては、左、右の縦枠３の内側には、面材２ｃの両側端を挿入するための縦溝１５が設けられており、面材２ｃの両側端はこの縦溝１５に挿入される分だけ上側横桟６ａ、７ａ、８ａ、下側横桟６ｂ、７ｂ、８ｂよりも突出しているが、必ずしも突出している必要はない。縦溝１５を省略するとともに、面材２ｃの両側端が左、右の縦枠３の内側に当接するように設計変更することも可能である。
また、対応した嵌合部は、一方がレール溝、他方がそれにスライド嵌合されるレール突条などで構成されているが、それには限定されない。その他の嵌合構造が採用可能である。
【００６１】
その他、本発明の特許請求の範囲内で種々の設計変更が可能であることはいうまでもない。
【図面の簡単な説明】
【００６２】
【図１】本発明の第１の実施形態の間仕切り用格子構造の構成を示す分解斜視図である。
【図２】図１のII−II線縦断面図である。
【図３】ダボとダボ孔の構成を示す要部分解斜視図である。
【図４】第１の実施形態において、格子ユニットが左、右の縦枠に固定された状態を示す斜視図である。
【図５】第１の実施形態において、中間の格子ユニットを取り付ける要領を示す斜視図である。
【図６】間仕切り用格子構造の第１の実施形態における組み立て完成状態を示す斜視図である。
【図７】本発明の第２の実施形態の間仕切り用格子構造の構成を示す分解斜視図である。
【図８】図７のVIII−VIII線縦断面図である。
【図９】第２の実施形態において、格子ユニットのみが一方の縦枠に固定された状態を示す斜視図である。
【図１０】第２の実施形態において、面材ユニットを取り付ける要領を示す斜視図である。
【図１１】第２の実施形態において、一方の縦枠に格子ユニットと面材ユニットとを取付けた構造体に、他方の縦枠を固定する状態を示す斜視図である。
【図１２】間仕切り用格子構造の第２の実施形態における組み立て完成状態を示す斜視図である。
【符号の説明】
【００６３】
１    間仕切り用格子構造
２    面材ユニット
２ａ  面材ユニットの上側横桟
２ｂ  面材ユニットの下側横桟
２ｃ  面材
３    縦枠
６、７、８    格子ユニット
６ａ、７ａ、８ａ  格子ユニットの上側横桟
６ｂ、７ｂ、８ｂ  格子ユニットの下側横桟
６ｃ、７ｃ、８ｃ  縦格子材
９    空所
１３、１４  嵌合部
【図１】
0005190301.tif 000002
【図２】
0005190301.tif 000003
【図３】
0005190301.tif 000004
【図４】
0005190301.tif 000005
【図５】
0005190301.tif 000006
【図６】
0005190301.tif 000007
【図７】
0005190301.tif 000008
【図８】
0005190301.tif 000009
【図９】
0005190301.tif 000010
【図１０】
0005190301.tif 000011
【図１１】
0005190301.tif 000012
【図１２】
0005190301.tif 000013